【手続補正書】
【提出日】平成18年4月6日(2006.4.6)
【手続補正１】
【補正対象書類名】明細書
【補正対象項目名】特許請求の範囲
【補正方法】変更
【補正の内容】
【特許請求の範囲】
【請求項１】
複数のセクタから構成される１つのブロックに記録されるデータと、
前記ブロックの直前の領域に記録される第一のダミーデータと、
前記ブロックの直後の領域に記録される第二のダミーデータと、
前記第二のダミーデータの直後の領域に記録されるエンド・ダミーデータと
が記録された情報記録媒体。
【請求項２】
複数のセクタから構成される１つのブロックに記録されるデータと、
前記ブロックの直前の領域に記録される第一のダミーデータと、
前記ブロックの直後の領域に記録される第二のダミーデータと、
前記第一のダミーデータと前記ブロックと前記第二のダミーデータを一組とし、前記組が複数連続した直後の領域に記録されるエンド・ダミーデータと
が記録された情報記録媒体。
【請求項３】
前記第一のダミーデータは、所定のパターンの繰り返しを含む、請求項１又は２に記載の情報記録媒体。
【請求項４】
前記第一のダミーデータの長さは、前記第二のダミーデータの長さとは異なる、請求項１又は２に記載の情報記録媒体。
【請求項５】
前記第一のダミーデータと前記第二のダミーデータは共通のパターンを含む、請求項１又は２に記載の情報記録媒体。
【請求項６】
前記エンド・ダミーデータの長さは、前記第一のダミーデータの長さとは異なる、請求項１又は２に記載の情報記録媒体。
【請求項７】
前記エンド・ダミーデータの長さは、前記第二のダミーデータの長さとは異なる、請求項１又は２に記載の情報記録媒体。
【請求項８】
前記第一のダミーデータは、所定のパターンの繰り返しを含み、
前記第一のダミーデータの長さは、前記第二のダミーデータの長さとは異なり、
前記第一のダミーデータと前記第二のダミーデータは共通のパターンを含み、
前記エンド・ダミーデータの長さは、前記第一のダミーデータの長さとは異なり、
前記エンド・ダミーデータの長さは、前記第二のダミーデータの長さとは異なる、
請求項１又は２に記載の情報記録媒体。
【請求項９】
情報記録媒体へデータを記録する記録方法であって、前記データを複数のセクタから構成される１つのブロックに記録する際に、
前記データの記録が開始される直前の領域に第一のダミーデータを記録するステップと、
前記第一のダミーデータが記録された直後の領域に前記データを記録するステップと、
前記データが記録された直後の領域に第二のダミーデータを記録するステップと、
前記第二のダミーデータが記録された直後の領域にエンド・ダミーデータを記録するステップと、を有する記録方法。
【請求項１０】
情報記録媒体へデータを記録する記録方法であって、前記データをブロック単位に分割して連続して記録する際に、
前記各ブロックに相当するデータの記録が開始される直前の領域に第一のダミーデータを記録するステップと、
前記第一のダミーデータが記録された直後の領域に前記各ブロックに相当するデータを記録するステップと、
前記各ブロックに相当するデータが記録された直後の領域に第二のダミーデータを記録するステップと、
前記データの最後のブロックに相当するデータが記録された直後に記録された第二のダミーデータが記録された直後の領域にエンド・ダミーデータを記録するステップと、を有する記録方法。
【請求項１１】
情報記録媒体へデータを記録する記録装置であって、
データを記録する記録手段と、
前記データを複数のセクタから構成される１つのブロックに記録する際に、前記データの記録が開始される直前の領域に第一のダミーデータを記録し、前記第一のダミーデータが記録された直後の領域に前記データを記録し、前記データが記録された直後の領域に第二のダミーデータを記録し、前記第二のダミーデータが記録された直後の領域にエンド・ダミーデータを記録するよう、前記記録手段を制御する制御装置と、を備えた記録装置。
【請求項１２】
情報記録媒体へデータを記録する記録装置であって、
データを記録する記録手段と、
前記データをブロック単位に分割して連続して記録する際に、前記各ブロックに相当するデータの記録が開始される直前の領域に第一のダミーデータを記録し、前記第一のダミーデータが記録された直後の領域に前記各ブロックに相当するデータを記録し、前記各ブロックに相当するデータが記録された直後の領域に第二のダミーデータを記録し、前記データの最後のブロックに相当するデータが記録された直後に記録された第二のダミーデータが記録された直後の領域にエンド・ダミーデータを記録するよう、前記記録手段を制御する制御装置と、を備えた記録装置。
【請求項１３】
情報記録媒体へデータを記録するための制御を行う制御装置であって、前記データを複数のセクタから構成される１つのブロックに記録される際に、
前記データの記録が開始される直前の領域に第一のダミーデータの記録を指示する手段と、
前記第一のダミーデータが記録された直後の領域に前記データの記録を指示する手段と、
前記データが記録された直後の領域に第二のダミーデータの記録を指示する手段と、
前記第二のダミーデータが記録された直後の領域にエンド・ダミーデータの記録を指示する手段と、を備えた制御装置。
【請求項１４】
情報記録媒体へデータを記録するための制御を行う制御装置であって、前記データがブロック単位に分割して連続して記録される際に、
前記各ブロックに相当するデータの記録が開始される直前の領域に第一のダミーデータの記録を指示する手段と、
前記第一のダミーデータが記録された直後の領域に前記各ブロックに相当するデータの記録を指示する手段と、
前記各ブロックに相当するデータが記録された直後の領域に第二のダミーデータの記録を指示する手段と、
前記データの最後のブロックに相当するデータが記録された直後に記録された第二のダミーデータが記録された直後の領域にエンド・ダミーデータの記録を指示する手段と、を備えた制御装置。
【請求項１５】
情報記録媒体へデータを記録するための制御を行う制御方法であって、前記データを複数のセクタから構成される１つのブロックに記録される際に、
前記データの記録が開始される直前の領域に第一のダミーデータの記録を指示するステップと、
前記第一のダミーデータが記録された直後の領域に前記データの記録を指示するステップと、
前記データが記録された直後の領域に第二のダミーデータの記録を指示するステップと、
前記第二のダミーデータが記録された直後の領域にエンド・ダミーデータの記録を指示するステップと、を有する制御方法。
【請求項１６】
情報記録媒体へデータを記録するための制御を行う制御方法であって、前記データがブロック単位に分割して連続して記録される際に、
前記各ブロックに相当するデータの記録が開始される直前の領域に第一のダミーデータの記録を指示するステップと、
前記第一のダミーデータが記録された直後の領域に前記各ブロックに相当するデータの記録を指示するステップと、
前記各ブロックに相当するデータが記録された直後の領域に第二のダミーデータの記録を指示するステップと、
前記データの最後のブロックに相当するデータが記録された直後に記録された第二のダミーデータが記録された直後の領域にエンド・ダミーデータの記録を指示するステップと、を有する制御方法。
【請求項１７】
情報記録媒体へデータを記録するための制御をコンピュータに実行させるためのプログラムであって、前記データを複数のセクタから構成される１つのブロックに記録される際に、
前記データの記録が開始される直前の領域に第一のダミーデータの記録を指示するステップと、
前記第一のダミーデータが記録された直後の領域に前記データの記録を指示するステップと、
前記データが記録された直後の領域に第二のダミーデータの記録を指示するステップと、
前記第二のダミーデータが記録された直後の領域にエンド・ダミーデータの記録を指示するステップと、を有する制御プログラム。
【請求項１８】
情報記録媒体へデータを記録するための制御をコンピュータに実行させるためのプログラムであって、前記データがブロック単位に分割して連続して記録される際に、
前記各ブロックに相当するデータの記録が開始される直前の領域に第一のダミーデータの記録を指示するステップと、
前記第一のダミーデータが記録された直後の領域に前記各ブロックに相当するデータの記録を指示するステップと、
前記各ブロックに相当するデータが記録された直後の領域に第二のダミーデータの記録を指示するステップと、
前記データの最後のブロックに相当するデータが記録された直後に記録された第二のダミーデータが記録された直後の領域にエンド・ダミーデータの記録を指示するステップと、を有する制御プログラム。
【請求項１９】
データが記録されるデータ領域を有する複数のセクタから構成された光ディスクに、所定数のセクタからなりエラー訂正符号を含んだデータの単位であるブロック毎に、データを光学的に記録する光学情報の記録方法において、
コンテンツのデータを分割して複数のセクタに連続して記録する際に、
データの記録が開始されるセクタの直前の領域に同期引き込みのためのダミーデータを記録し、
前記ダミーデータが記録された領域に続くセクタにコンテンツのデータを連続して記録する
ことを特徴とする光学情報の記録方法。
【請求項２０】
ダミーデータが記録される前記直前の領域は、データの記録が開始されるセクタの直前のセクタであることを特徴とする請求項１９記載の光学情報の記録方法。
【請求項２１】
ダミーデータが記録される前記直前の領域は、前記ブロック間の領域であることを特徴とする請求項１９記載の光学情報の記録方法。
【請求項２２】
データが記録される各セクタの始端部にもダミーデータを記録することを特徴とする請求項１９から２１のいずれかに記載の光学情報の記録方法。
【請求項２３】
データが記録される各セクタの終端部にもダミーデータを記録することを特徴とする請求項１９から２１のいずれかに記載の光学情報の記録方法。
【請求項２４】
データが記録される各セクタの始端部及び終端部にもダミーデータを記録することを特徴とする請求項１９から２１のいずれかに記載の光学情報の記録方法。
【請求項２５】
前記ダミーデータは、単一周波数を有する同期引き込みパターンを含むことを特徴とする請求項１９から２４のいずれかに記載の光学情報の記録方法。
【請求項２６】
前記ダミーデータは、所定のパターンが繰り返してなるパターンを含むことを特徴とする請求項１９から２４のいずれかに記載の光学情報の記録方法。
【請求項２７】
光ディスクの記録領域が再生時にディスク回転数の異なるような複数のゾーンに分割されている場合に、前記ダミーデータを記録する領域はゾーンの最内周付近にあることを特徴とする請求項１９から２１のいずれかに記載の光学情報の記録方法。
【請求項２８】
コンテンツの記録中に記録が中断した際に、その後に前記コンテンツの記録を再開するセクタの直前の領域に前記ダミーデータを記録することを特徴とする請求項１９から２１のいずれかに記載の光学情報の記録方法。
【請求項２９】
コンテンツの先頭のブロックの直前に記録するダミーデータは、コンテンツ内の各ブロックの直前に記録するダミーデータよりも長いことを特徴とする請求項１９から２６のいずれかに記載の光学情報の記録方法。
【請求項３０】
コンテンツの最終のブロックの直後に記録するダミーデータは、コンテンツ内の各ブロックの直後に記録するダミーデータよりも長いことを特徴とする請求項１９から２６のいずれかに記載の光学情報の記録方法。
【請求項３１】
データが記録されるデータ領域を有する複数のセクタから構成された光ディスクに、所定数のセクタからなりエラー訂正符号を含んだデータの単位であるブロック毎に、データを光学的に記録する光学情報の記録装置において、
光ディスクに光学的に情報を記録する記録手段と、
前記記録手段の記録動作を制御する制御手段とを備え、
該制御手段は、コンテンツのデータを分割して複数のセクタに連続して記録する際に、データの記録が開始されるセクタの直前の領域に同期引き込みのためのダミーデータを記録し、前記ダミーデータが記録された領域に続くセクタにコンテンツのデータを連続して記録するよう、前記記録手段を制御する
ことを特徴とする光学情報の記録装置。
【請求項３２】
ダミーデータが記録される前記直前の領域は、データの記録が開始されるセクタの直前のセクタであることを特徴とする請求項３１記載の光学情報の記録装置。
【請求項３３】
ダミーデータが記録される前記直前の領域は、前記ブロック間の領域であることを特徴とする請求項３１記載の光学情報の記録装置。
【請求項３４】
データが記録される各セクタの始端部にもダミーデータを記録することを特徴とする請求項３１から３３のいずれかに記載の光学情報の記録装置。
【請求項３５】
データが記録される各セクタの終端部にもダミーデータを記録することを特徴とする請求項３１から３３のいずれかに記載の光学情報の記録装置。
【請求項３６】
データが記録される各セクタの始端部及び終端部にもダミーデータを記録することを特徴とする請求項３１から３３のいずれかに記載の光学情報の記録装置。
【請求項３７】
前記ダミーデータは、単一周波数を有する同期引き込みパターンを含むことを特徴とする請求項３１から３６のいずれかに記載の光学情報の記録装置。
【請求項３８】
前記ダミーデータは、所定のパターンが繰り返してなるパターンを含むことを特徴とする請求項３１から３６のいずれかに記載の光学情報の記録装置。
【請求項３９】
光ディスクの記録領域が再生時にディスク回転数の異なるような複数のゾーンに分割されている場合に、前記ダミーデータを記録する領域はゾーンの最内周付近にあることを特徴とする請求項３１から３３のいずれかに記載の光学情報の記録装置。
【請求項４０】
コンテンツの記録中に記録が中断した際に、その後に前記コンテンツの記録を再開するセクタの直前の領域に前記ダミーデータを記録することを特徴とする請求項３１から３３のいずれかに記載の光学情報の記録装置。
【請求項４１】
コンテンツの先頭のブロックの直前に記録するダミーデータは、コンテンツ内の各ブロックの直前に記録するダミーデータよりも長いことを特徴とする請求項３１から３８のいずれかに記載の光学情報の記録装置。
【請求項４２】
コンテンツの最終のブロックの直後に記録するダミーデータは、コンテンツ内の各ブロックの直後に記録するダミーデータよりも長いことを特徴とする請求項３１から３８のいずれかに記載の光学情報の記録装置。
【請求項４３】
データが記録されるデータ領域を有する複数のセクタから構成され、所定数のセクタからなりエラー訂正符号を含んだデータの単位であるブロック毎にデータが記録される光ディスクであって、
コンテンツのデータが分割して複数のセクタに連続して記録される際に、
データの記録が開始されるセクタの直前の領域に同期引き込みのためのダミーデータが記録され、
前記ダミーデータが記録された領域に続くセクタにコンテンツのデータが連続して記録される
ことを特徴とする光ディスク。
【請求項４４】
ダミーデータが記録される前記直前の領域は、データの記録が開始されるセクタの直前のセクタであることを特徴とする請求項４３記載の光ディスク。
【請求項４５】
ダミーデータが記録される前記直前の領域は、前記ブロック間の領域であることを特徴とする請求項４３記載の光ディスク。
【請求項４６】
データが記録される各セクタの始端部にもダミーデータを記録することを特徴とする請求項４３から４５のいずれかに記載の光ディスク。
【請求項４７】
データが記録される各セクタの終端部にもダミーデータを記録することを特徴とする請求項４３から４５のいずれかに記載の光ディスク。
【請求項４８】
データが記録される各セクタの始端部及び終端部にもダミーデータを記録することを特徴とする請求項４３から４５のいずれかに記載の光ディスク。
【請求項４９】
前記ダミーデータは、単一周波数を有する同期引き込みパターンを含むことを特徴とする請求項４３から４８のいずれかに記載の光ディスク。
【請求項５０】
前記ダミーデータは、所定のパターンが繰り返してなるパターンを含むことを特徴とする請求項４３から４８のいずれかに記載の光ディスク。
【請求項５１】
光ディスクの記録領域が再生時にディスク回転数の異なるような複数のゾーンに分割されている場合に、前記ダミーデータを記録する領域はゾーンの最内周付近にあることを特徴とする請求項４３から４５のいずれかに記載の光ディスク。
【請求項５２】
コンテンツの記録中に記録が中断した際に、その後に前記コンテンツの記録を再開するセクタの直前の領域に前記ダミーデータを記録することを特徴とする請求項４３から４５のいずれかに記載の光ディスク。
【請求項５３】
コンテンツの先頭のブロックの直前に記録するダミーデータは、コンテンツ内の各ブロックの直前に記録するダミーデータよりも長いことを特徴とする請求項４３から５０のいずれかに記載の光ディスク。
【請求項５４】
コンテンツの最終のブロックの直後に記録するダミーデータは、コンテンツ内の各ブロックの直後に記録するダミーデータよりも長いことを特徴とする請求項４３から５０のいずれかに記載の光ディスク。
【手続補正２】
【補正対象書類名】明細書
【補正対象項目名】００１８
【補正方法】変更
【補正の内容】
【００１８】
本発明に係る光ディスクは、データが記録されるデータ領域を有する複数のセクタから構成され、所定数のセクタからなりエラー訂正符号を含んだデータの単位であるブロック毎にデータが記録される光ディスクである。光ディスクにおいて、コンテンツのデータが分割して複数のセクタに連続して記録される際に、データの記録が開始されるセクタの直前の領域に同期引き込みのためのダミーデータが記録され、ダミーデータが記録された領域に続くセクタにコンテンツのデータが連続して記録される。
本発明に係る記録媒体は、複数のセクタから構成される１つのブロックに記録されるデータと、ブロックの直前の領域に記録される第一のダミーデータと、ブロックの直後の領域に記録される第二のダミーデータと、第二のダミーデータの直後の領域に記録されるエンド・ダミーデータとが記録される。
本発明に係る別の記録媒体は、複数のセクタから構成される１つのブロックに記録されるデータと、ブロックの直前の領域に記録される第一のダミーデータと、ブロックの直後の領域に記録される第二のダミーデータと、第一のダミーデータとブロックと第二のダミーデータを一組とし、その組が複数連続した直後の領域に記録されるエンド・ダミーデータとが記録される情報記録媒体。
本発明に係る別の記録方法は、情報記録媒体へデータを記録する記録方法であって、データを複数のセクタから構成される１つのブロックに記録する際に、データの記録が開始される直前の領域に第一のダミーデータを記録するステップと、第一のダミーデータが記録された直後の領域に前記データを記録するステップと、データが記録された直後の領域に第二のダミーデータを記録するステップと、第二のダミーデータが記録された直後の領域にエンド・ダミーデータを記録するステップとを有する。
本発明に係るさらに別の記録方法は、情報記録媒体へデータを記録する記録方法であって、データをブロック単位に分割して連続して記録する際に、各ブロックに相当するデータの記録が開始される直前の領域に第一のダミーデータを記録するステップと、第一のダミーデータが記録された直後の領域に前記各ブロックに相当するデータを記録するステップと、各ブロックに相当するデータが記録された直後の領域に第二のダミーデータを記録するステップと、データの最後のブロックに相当するデータが記録された直後に記録された第二のダミーデータが記録された直後の領域にエンド・ダミーデータを記録するステップとを有する。
本発明に係る別の記録装置は、情報記録媒体へデータを記録する記録装置であって、データを記録する記録手段と、データを複数のセクタから構成される１つのブロックに記録する際に、データの記録が開始される直前の領域に第一のダミーデータを記録し、第一のダミーデータが記録された直後の領域にデータを記録し、データが記録された直後の領域に第二のダミーデータを記録し、第二のダミーデータが記録された直後の領域にエンド・ダミーデータを記録するよう、記録手段を制御する制御装置とを備える。
本発明に係るさらに別の記録装置は、情報記録媒体へデータを記録する記録装置であって、データを記録する記録手段と、データをブロック単位に分割して連続して記録する際に、各ブロックに相当するデータの記録が開始される直前の領域に第一のダミーデータを記録し、第一のダミーデータが記録された直後の領域に各ブロックに相当するデータを記録し、各ブロックに相当するデータが記録された直後の領域に第二のダミーデータを記録し、データの最後のブロックに相当するデータが記録された直後に記録された第二のダミーデータが記録された直後の領域にエンド・ダミーデータを記録するよう、記録手段を制御する制御装置とを備える。